(57)【要約】天井面に配設された単一の電気コードの接続部を覆うと共に前記電気コードに固定される天井取付具又はカバーである。前記取付具は、円周形状の上端（１８）と円周形状の下端（２０）とを有すると共に、全体形状が前記円周形状の上端から前記円周形状の下端（２０）に亘りテーパー状に形成された中空本体（１０）を備えている。前記中空本体（１０）は、該中空本体（１０）内に形成された内部空間に面する内側面を有し、前記円周形状の下端（２０）によって前記内部空間に窓孔が形成されている。天井取付具又はカバーは、また、弾性曲げ可能な細長い複数の部材（３４’）を備え、各々が前記窓孔の幅より大きい長さを有すると共に各々が基端部と先端部とを有している。弾性曲げ可能な前記細長い部材（３４’）の基端部は、前記窓孔の上方で前記中空本体の内側面に位置し、弾性曲げ可能な前記細長い部材は前記窓孔に向き、先端部は、前記開口よりも狭い間隔の自由開口を形成している。
2007531483.tif 000002
【特許請求の範囲】
【請求項１】
単一の電気コードの天井面への接続部を覆うと共に前記電気コードに固定される天井取付具又はカバーにおいて、
円周形状の上端と円周形状の下端とを有すると共に、全体形状が前記円周形状の上端から前記円周形状の下端に亘りテーパー状に形成された中空本体であって、該中空本体内に形成された内部空間に面する内側面を有すると共に、前記円周形状の下端によって前記内部空間に窓孔が形成されている中空本体と、
弾性曲げ可能な複数の細長い部材であって、各々が前記窓孔の幅より大きい長さを有すると共に各々が基端部と先端部とを有する複数の細長い部材と、を備え、
前記弾性曲げ可能な細長い部材の前記基端部は前記窓孔の上方で前記中空本体の内側面に位置し、前記弾性曲げ可能な細長い部材は、前記窓孔に向けられると共に、前記弾性曲げ可能な複数の細長い部材の前記先端部は、前記窓孔よりも狭い間隔の自由開口を形成している、天井取付具又はカバー。
【請求項２】
請求項１に記載の天井取付具において、
前記中空本体は対称軸芯を有する対称形状に形成されており、前記弾性曲げ可能な各細長い部材は、前記対称軸芯に対し、８０°未満、好ましくは６０°未満、又は好ましくは鋭角のような９０°未満の角度で配置されている天井取付具。
【請求項３】
請求項１又は２に記載の天井取付具において、
前記弾性曲げ可能な細長い部材は、前記中空本体に一体に結合されている天井取付具。
【請求項４】
請求項１又は２に記載の天井取付具において、
複数の前記弾性曲げ可能な細長い部材は、前記中空本体とは別体の環状体に一体に結合されており、前記環状体は、前記中空本体の前記内部空間内に支持されており、好ましくは、前記別体の環状体は、前記内部空間の内側面にスナップ固定式に係合している天井取付具。
【請求項５】
請求項１乃至４のいずれかに記載の天井取付具において、
前記自由開口の最小幅は、前記窓孔の幅の８０％未満、７０％未満若しくは好ましくは６０％未満、又は５０％−９０％の間若しくは６０−８０％の間、のように前記窓孔の９０％未満に設定され、好ましくは略７０％に設定されている天井取付具。
【請求項６】
請求項１乃至５のいずれかに記載の天井取付具において、
前記弾性曲げ可能な細長い部材の長さは、前記窓孔の幅の２倍、好ましくは２−３倍のように２−５倍に設定されている天井取付具。
【請求項７】
請求項１乃至６のいずれかに記載の天井取付具において、
前記弾性曲げ可能な細長い部材は、前記窓孔の上方に、前記細長い部材の長さと等しい間隔又はそれより少し大きい間隔をおいて配置されており、該間隔は、前記細長い部材の長さの１００−１５０％のように、たとえば、１００−１１０％、１１０−１２０％、１２０−１３０％、１３０−１４０％、１４０−１５０％、１５０−１６０％、１６０−１７０％、１７０−１８０％、１８０−１９０％、１９０−２００％のように、１００−２００％の間に設定されている天井取付具。
【請求項８】
請求項７に記載の天井取付具において、
前記間隔は、前記天井取付具の全高の１０−２０％、２０−３０％、３０−４０％、４０−５０％、又は略２０−４０％のように、少なくとも１０％以上に設定されている天井取付具。
【請求項９】
請求項１乃至８のいずれかに記載の天井取付具において、
前記中空本体は、単一の中空本体部材により構成され、又は２つ以上の中空本体構成部材、好ましくは同一形状の２つ以上の中空本体構成部材により構成され、前記２つ以上の中空本体構成部材は、協働式の係止要素又は拘束要素によってスナップ固定式に結合されることにより、前記中空本体を構成している天井取付具。
【請求項１０】
請求項１乃至９のいずれかに記載の天井取付具において、
前記中空本体と前記細長い部材とは、ポリエチレン、ポリプロピレン、ポリオキシメチレン、アクニロリトリル  ブタジエン  スチレン又はそれらの組合せからなる高分子材料でできており、同じ材料又は異なる材料から射出成形により製造されている天井取付具。
【請求項１１】
請求項４に記載の天井取付具において、
前記環状体及び前記中空本体は、同じ材料又は異なる材料から製造されている天井取付具。
【請求項１２】
請求項１１に記載の天井取付具において、
前記中空本体は、ポリエチレン、ポリプロピレン、ポリオキシメチレン、アクニロリトリル  ブタジエン  スチレンのような高分子材料、又はアルミニウム若しくはステンレス鋼のような金属材料から製造され、前記環状体は、ポリエチレン、ポリプロピレン、ポリオキシメチレン、アクニロリトリル  ブタジエン  スチレンのような高分子材料、又はアルミニウム若しくはステンレス鋼のような金属材料から製造され、好ましくは、前記中空本体の材料よりも弾性率の高い材料から製造されている天井取付具。
【発明の詳細な説明】
【技術分野】
【０００１】
本発明は、一般に、電気器具用装飾品の技術分野に関し、特に、天井から電気コード又はケーブルにより吊り下げられる電球や電気器具と組み合わせて用いる天井取付具又はカバーであって、前記電気コード又はケーブルの天井への固定部を覆ったり、及び又は、天井のコンセント又は延長ケーブル若しくはコードとの接続部を覆ったりするために用いられる天井取付具又はカバーに関する。
【背景技術】
【０００２】
個人住宅、オフィスビル、工場、生産設備等において、多くの電気器具及び照明器具は、ビルや家の天井から吊り下げて使用されている。天井から吊り下げられる照明器具の例としては、吊りランプやスポットランプがあり、電気器具の例としては、ディスプレイ装置、ディスプレイ、又はテレビ、ファン送風機（ベンチレータ）、ヒーター、スピーカ等がある。本発明が適用される場所及び電気器具は、前述の住宅やビル等には限定されず、天井又はその他の固定面から吊り下げて使用される電気器具すべてが含まれる。また、天井取付具は、通常は略水平な天井から吊り下げられた状態で使用されるが、本件明細書の文中で使用する天井取付具又はカバーの方向又は位置に関する用語は、使用目的に応じて柔軟に理解されるものであり、「上方」及び「下方」並びに「上端」及び「下端」等の用語は、取付具又はカバーの上記説明した適応範囲との関連で考慮される。
【０００３】
特に、天井面のＡＣ電力コンセント又は吊り下げフック若しくはそれに類する吊り下げ具に固定される電気ワイヤ又はコードによって吊り下げられる揺動自在なランプに関しては、ＡＣ電力コンセント又は吊り下げフック若しくはこれに類する電気用部品をカバーするための天井取付具を取り付けるものである。
【０００４】
天井取付具の従来技術公報としては、スウェーデン特許Ｎｏ．２０００７０及び３８８０２５、ドイツ特許出願公開Ｎｏ．２１５９９８５及び２９３２３３４、英国特許Ｎｏ．２０２０５６Ａ及び２２５１９８３Ａ、国際特許出願９６／２１１２３があり、該国際特許出願９６／２１１２３は、ヨーロッパ特許ＥＰ０８０１１７１、米国特許ＵＳ６０３４３２８、６５２１８３６、１５１７８４６、３９２６１４１、４４２２４７８、３３５３３５３、４８０８７７４、５０２９７０４及び５１５３３８３に対応する。前記特許出願及び特許は本発明の参考資料となり、前記米国特許は、参照することによって、ここで、本件明細書に組み入れられる。
【発明の開示】
【発明が解決しようとする課題】
【０００５】
従来の天井取付具の共通の課題は、天井取付具を適切で安全に電気コード又はケーブルに固定できるようにすること、結果として、取付面に対して取付具又はカバーを安全で確実に位置決めし、固定できるようにすることである。すなわち、電力コンセント、吊り下げフック又はその他の吊り下げ具又は延長要素を、天井取付具又はカバーによって適切に覆うことができる恒久的な位置に、前記取付具又はカバーを取り付けることである。電気コード又はケーブルに、天井取付具又はカバーを、安全かつ耐久性を有するように固定するために、天井取付具又はカバーの外郭によって形成された天井取付具本体又はカバー本体を、隙間を生じることなくぴったりと取り付けること、及び又は、小さな「反し」部、フック又はゴム製天井リングのような弾性要素を使用することは、数多くの参考文献に記載されている。
【０００６】
前記国際出願に記載されている技術の開発段階において、発明者によって実施された実験により、天井取付具又はカバーを改良する必要性を実感した。特に、天井取付具又はカバーが取り付けられる電気コード又はケーブルに対して、天井取付具又はカバーを安全かつ耐久性を有するように位置決めし、電気コード又はケーブルが吊るされる天井に対して、安全で耐久性を有するように天井取付具又はカバーを位置決めする構造に関して、改良することが必要であることを実感した。
【０００７】
たとえば緊張状態で敷設されたケーブルの固定具のように、恒久的な器具を用いる電気出力要素を、吊り下げコードや吊り下げケーブルに対して天井取付具又はカバーを適切で安全に取り付けるために使用することはあるが、一方では、如何なる工具を用いることもなく簡単に天井取付具又はカバーを取り付けられるようにする必要があり、他方では、天井取付具又はカバーを、低い位置から、天井に近い目的の高い位置へ、単一方向へのみ移動ができるようにする必要性がある。そして、上記目的の高い位置では、天井取付具又はカバーは、故意又は非故意による如何なる下降動作も阻止され、吊り下げケーブル又はコードに対し、天井取付具又はカバーを、安全で恒久的な位置に位置決し、その結果として、天井に対してそれらを安全で恒久的な位置に位置決めする必要性がある。
【０００８】
本発明の目的は、上記必要性を満たす天井取付具又はカバーを提供することである。
【０００９】
本発明の別の目的は、上記必要性を満たすと共に、吊り下げケーブル又はコードに対し、結果的には、天井に対し、天井取付具又はカバーを適切に位置決めするために、如何なる工具を使用することもなく、吊り下げケーブル又はコードに対して天井取付具又はカバーを上方に移動させるだけで、天井取付具又はカバーを適切に取り付けられるようにすることである。
【課題を解決するための手段】
【００１０】
本発明の一実施の形態によると、本発明による天井取付具又はカバーは、異なった太さ又は種類のケーブル又はコード、たとえば直径が大きく異なる各種ケーブル又はコードを収納することができる。
【００１１】
本発明のさらに別の目的は、軽量な樹脂材料から製造できると共に、単一の構造物として製造でき、又は、天井取付部品又は本体及び固定要素のような少ない数の構成部品から組み立てられる構造物として、製造することができる天井取付具又はカバーを提供することである。
【００１２】
他の目的と共に上記目的、形態及び利点は、本発明による天井取付具又はカバーの発展的で好ましい実施の形態に関する以下の詳細な説明から明らかになるが、それらは、単一の電気コードの天井への接続部を覆い、かつ、電気コードに前記天井取付具又はカバーを固定するための天井取付具又はカバーにおいて、以下の構成を備えている。
【００１３】
すなわち、天井取付具又はカバーは、円周形状の上端と円周形状の下端とを有すると共に、全体形状が前記円周形状の上端から前記円周形状の下端に亘りテーパー状に形成された中空本体であって、該中空本体内に形成された内部空間に面する内側面を有すると共に、前記円周形状の下端によって前記内部空間に窓孔が形成されている中空本体と、弾性曲げ可能な複数の細長い部材であって、各々が前記窓孔の幅より大きい長さを有すると共に各々が基端部と先端部とを有する複数の細長い部材と、を備え、前記弾性曲げ可能な細長い部材の前記基端部は前記窓孔の上方で前記中空本体の内側面に位置し、前記弾性曲げ可能な細長い部材は、前記窓孔に向けられると共に、前記弾性曲げ可能な複数の細長い部材の前記先端部は、前記窓孔よりも狭い間隔の自由開口を形成している。
【００１４】
本発明によると、３個、４個、５個又は６個のような複数個の弾性曲げ可能な細長い部材が用いられており、それら細長い部材は、電気コード又はケーブルが挿通された天井取付具の中空本体の窓孔の上方に位置すると共に該窓孔に向いている。好ましくは、鋭角、又は、８０°未満、好ましくは６０°未満の角度のような少なくとも９０°未満の角度で窓孔に向いており、電気ケーブル又はコードに対して取付具又はカバーを上方へ移動させることができるようになっている。取付具又はカバーを、吊り下げられたケーブル又はコードに沿って上方に移動した時には、弾性曲げ可能な細長い部材は、外方に湾曲すると共に、電気コード又はケーブルの外周面に沿ってスライドする。仮に、取付具又はカバーを電気コード又はケーブルに沿って下方に移動又はスライドさせようとした場合、弾性曲げ可能な細長い部材は、電気コード又はケーブルの外周面に強く圧接し、あるいは食い込む「反し」としての機能を果たし、これにより、天井側から、前記電気ケーブル又はコードに沿って取付具又はカバーが下方へスライド又は移動するのを阻止する。
【００１５】
本発明による取付具又はカバーの別の発展的な２つの実施の形態によると、弾性曲げ可能な細長い部材は、中空本体に一体に結合されており、または、別の例によると、弾性曲げ可能な前記細長い部材は、前記中空本体とは別体に形成されると共に前記中空本体の前記内部空間内に支持された別体の環状体に、一体に結合されており、前記別体の環状体は、好ましくは、前記中空本体の内側面にスナップ固定式に係合している。
【００１６】
電気コード又はケーブルが吊り下げられている天井面に近い適切な位置に、取付具又はカバーを安全かつ確実に位置決めし、吊り下げケーブル又はコードに対して取付具又はカバーを適切かつ安全に固定することを目的として、好ましくは、「反し」のような機能を有する弾性曲げ可能な細長い部材は、弾性曲げ可能な細長い部材の先端部間で構成する自由開口の寸法が、中空本体の窓孔の寸法に比べて小さくなるように構成される。より詳細に説明すると、「反し」又はこれと同様な拘束要素の機能を有する弾性曲げ可能な細長い部材と、吊り下げケーブル又はケーブルとを、ぴったりと堅く係合させるために、弾性曲げ可能な細長い部材の先端部間で形成されている自由開口の最小幅は、前記窓孔の幅の８０％未満、７０％未満若しくは好ましくは６０％未満、又は５０％−９０％の間若しくは６０−８０％の間、のように前記窓孔の９０％未満に設定され、好ましくは略７０％に設定される。上記パーセンテイジは、弾性曲げ可能な細長い部材の弾性率及び弾性曲げ可能な細長い部材の長さによって決定されるものであり、そしてまた、美観を維持する目的のために中空本体の窓孔の寸法を大きくする場合には、上記パーセンテイジは制限値５０％より低くすることもある。
【００１７】
弾性曲げ可能な細長い部材が「反し」として機能するような本発明の機能特性を得るため、「反し」として機能するかなり長い寸法の弾性曲げ可能な細長い部材を備えるように、弾性曲げ可能な細長い部材の長さは、窓孔の幅の２倍、好ましくは２−３倍のように２−５倍に設定される。そして、弾性曲げ可能な細長い部材の材料の可撓性と弾性が、本発明の拘束機構特性を得るために利用される。また、本発明の弾性曲げ可能な細長い部材の単一方向への移動特性を得るために、弾性曲げ可能な各細長い部材は、窓孔の上方に位置すると共に前記窓孔に向かって延び、かつ、中空本体の記対称軸芯に対し、８０°未満、好ましくは６０°未満、又は好ましくは鋭角のような、９０°未満の角度で配置されている。
【００１８】
弾性曲げ可能な細長い部材は、本発明に従って、前記窓孔の上方に、前記細長い部材の長さと等しい間隔又はそれより少し大きい間隔をおいて配置されており、該間隔は、前記細長い部材の長さの１００−１５０％のように、たとえば１００−１１０％、１１０−１２０％、１２０−１３０％、１３０−１４０％、１４０−１５０％、１５０−１６０％、１６０−１７０％、１７０−１８０％、１８０−１９０％、１９０−２００％のように、１００−２００％の間に設定される。
【００１９】
上述のような弾性曲げ可能な細長い部材の長さ、窓孔の上方に配置される弾性曲げ可能な細長い部材の取付位置と窓孔との間隔と弾性曲げ可能な細長い部材自体の全長との関係等を採用し、本発明による天井取付具又はカバーの中空本体の対称軸芯に対し、鋭角になるように弾性曲げ可能な細長い部材を配設することにより、弾性曲げ可能な細長い部材は、本発明に従った前記各種機能を達成することができる。殆どの例における対称軸芯は、取付具又はカバーが固定されているケーブル又はコードの軸芯と同一軸又は延長上に存在することを理解すべきである。
【００２０】
取付具の全長によって変化するが、窓孔と該窓孔の上方に位置する弾性曲げ可能な細長い部材のとの間隔は、少なくとも取付具の全長の１０％からたとえば５０％まで変更可能である。結果的に、前記間隔は、好ましくは変化可能であり、前記天井取付具の全高の１０−２０％、２０−３０％、３０−４０％、４０−５０％、又は略２０−４０％のような、少なくとも１０％以上となっている。
【００２１】
取付具又はカバーは、上記のように、弾性曲げ可能な細長い部材を中空本体に一体的に結合する構造とすることができ、さらに、本発明の一実施の形態に従って、一体構造物として弾性曲げ可能な細長い部材を中空本体と一体成形することもできる。取付具又はカバーを、容易に型成形又はカスティングできる本発明のより好ましく、かつ、発展的な一実施形態では、中空本体は、２個以上、好ましくは２個の独立した構成部品で構成され、これらの構成部品は、協働式の係止又は拘束要素によってスナップ固定式に結合されることにより、前記中空本体を構成する。
【００２２】
この文章において、発明者の前記公開された国際特許出願中には、開閉可能又は２つの取付具又はカバーの構成部品が詳細に説明されていることを述べておく。
【００２３】
本発明による天井取付具又はカバーは、前述のように、発展的に、かつ好ましくは、ポリエチレン、ポリプロピレン、ポリオキシメチレン、アクニロリトリル  ブタジエン  スチレン又はそれらの組合物からなる高分子材料のような、同じ材料又は異なる材料から射出成形により製造されている。本発明による取付具又はカバーの製造に使用される射出成形技術は、中空本体が単一構造物として構成されているか、若しくは、２以上の複数の構成部品により構成されているかには関係なく、また、弾性曲げ可能な細長い部材が中空本体と一体に形成されているか若しくは前述のような環状体によって支持されている構成部品であるか否かとは関係なく、天井取付具又はカバーの要素若しくは構成部品を、同じ材料から射出成形することにより、若しくは、異なる材料から複合射出成形方法により射出成形することにより、実施される。
【００２４】
仮に、天井取付具又はカバーが、中空本体と、該中空本体とは別体で弾性曲げ可能な細長い部材を支持する環状体と、から製造又は構成され場合には、中空本体及び弾性曲げ可能な細長い部材用に異なる材料特性を利用することにより、中空本体は非常に堅くて剛性の高いプラスチック材料又は、たとえばアルミニウムのような金属材料から製造でき、一方、弾性曲げ可能な細長い部材は、前述のような中空本体とは別部材で環状体によって支持された構成部品として、柔軟で、より可撓性及び弾性を有する材料から製造することが、簡単にできる。中空本体の製造に用いられる材料の例としては、それぞれ、ポリエチレン、ポリプロピレン、ポリオキシメチレン、アクニロリトリル  ブタジエン  スチレン、アルミニウム若しくはステンレス鋼があり、環状体の製造に用いられる材料としては、ポリエチレン、ポリプロピレン、ポリオキシメチレン、アクニロリトリル  ブタジエン  スチレンがある。
【発明を実施するための最良の形態】
【００２５】
図１及び図２には取付具構成部品１０が示されており、該取付具構成部品１０は、本発明による取付具の第１の実施の形態を構成する組立状態の取付具の半分を構成している。図１では、取付具構成部品１０の外周面が図面上に表れており、図２では、取付具構成部品１０の内部が図面上に表されている。基本的に、取付具構成部品１０は、飾り線１６によって２つの領域１２，１４に分割された湾曲状の外郭部品である。上記飾り線１６は、組立後の取付具の概ね円錐状の外周面を、合計４つの個別の表面部分に分割する目的で設けられており、前記４つの個別の表面部分は、取付具構成部品１０の端縁と分割線（飾り線）１６とによって、互いに隣合う個別の表面部分から分離されている。
【００２６】
取付具構成部品１０は、半円形の上端縁１８と半円形の下端縁２０とを備えている。前記上端縁１８の直径は、２つの同形状の取付具構成部品１０を結合することにより構成される取付具の内部に形成される内部空間内に、ケーブル及び又は接続部等を収納できる寸法に設定されている。半円形の下端縁２０の直径は、２つの取付具構成部品１０が、２つの半円形の端縁２０によって形成される下端開口を備えるように取付具として組み立てられた時、電気ケーブル又は電気コードを、２つの取付具構成部品１０によって形成される前記下端開口を通って中空本体内に導入することができる大きさに設定されている。すなわち、２個の取付具構成部品１０を結合して取付具を形成することにより、２つの半円形の下端縁２０によって下端開口が形成されるが、この下端開口の直径は、ケーブル又はコードが容易に下端開口に挿通することができるように、実質的に電気ケーブル又はコードの外径よりも大きく設定されていることが理解される。
【００２７】
図１において、符号２２を付した端縁は、上端縁１８と下端縁２０とを相互に連結する二つの端縁の一方の端縁であり、図２に示すように、上記一方の端縁２２は２つの内側拘束フランジ２４を備えており、これら内側拘束フランジ２４は、取付具構成部品１０の反対側の他方の端縁２８に備えられた一対の内面凹部２６内に嵌合して係止する機能を有している。図２に記載されているように、反対側の他方の端縁２８は、２つの追加のフランジ３０を一体に備えており、これらのフランジ３０は、前記一方の端縁２２の内面に形成された対応する凹部に嵌合して係止する機能を有している。
【００２８】
図２において、取付具構成部品１０の上端縁には薄肉形成線３２が形成されており、該薄肉形成線３２は、該薄肉形成線３２内の薄肉部分を取り除くことにより開口部を形成することができるようになっている。
【００２９】
２つの取付具構成部品１０から組み立てられる取付具の特別の特徴は、電気コード及びケーブルに対して、２つの取付具構成部品からなる取付具を、安全で信頼がおける状態に固定できることである。電気コード又はケーブルは、電気照明器具又はそれに類する器具に接続される下方の遠い側の先端部と、取付具の内部空間に収納される基端部とを備え、該電気ケーブル等の基端部は、薄肉形成線３２により形成された前記開口を通して取付具から取り出されると共に、部屋の恒久的な設備又は延長ケーブル又は延長コードに接続される。
【００３０】
図２の符号３４は、可撓性を有する一対の細長い拘束アームを示しており、これら拘束アーム３４によって、取付具を安全で確実に電気ケーブル又はコードに固定することができる。電気ケーブル又はコードは、２つの取付具構成部品１０の半円形下端縁２０によって形成された下端窓孔を通るようにガイドされるが、前記拘束アーム３４は、前記ケーブル又はコードに対し鋭角の状態となるように、アーム位置決め用ポスト３６に設けられている。拘束アーム３４の外方端部は、該拘束アーム３４の長さ方向の軸芯に対して傾斜した外方端面を有する形状となっている。アーム３４の形状は、アームポスト３６から半円形下端縁３８に向かって延びるように指向されており、これにより、図３ａにおいて、矢印４２で示すように組立状態の取付具を上方に押し上げる時には、アーム３４が簡単に撓み又は曲がり、組立状態の取付具がケーブル又はコード４０に沿って上方へスライドできる。一方、図３ｂにおいて、矢印４４で示すように組立状態の取付具がケーブル又はコードに対して下方に移動しようとした場合、ケーブル又はコード４０に対し、撓み可能な係止アーム３４は「反し」として機能し、ケーブル又はコード４０の外周面を食い込み、取付具が故意に又は無意識に下方に移動するのを阻止する。
【００３１】
図２に示されているように、「反し」状のアーム３４は、「反し」機能によってケーブル又はコードを拘束できるように、ケーブル又はコードの直径と比べてかなり大きな寸法又は長さを有している。このようにアーム３４をかなり長く形成することにより、ケーブル又はコードに対してアーム３４を鋭角に位置させると共に、拘束「反し」のような故意的な機能を発揮させるべく、拘束アームに適切な可撓性を持たせている。
【００３２】
前記図１，図２，３ａ及び３ｂに関連して説明された２つ割り構造の本発明による取付具の第１又は現実的に好ましい実施の形態は、各種変形例が実施可能である。たとえば、先に公開された国際特許出願ＷＯ９６／２１１２３に記載されている技術により実施することが可能であり、その明細書の内容は本件明細書の内容として考慮される。本発明による取付具の別の実施形態として、図４に示すように、取付具の外郭を、２つ割りではなく、一体構造物とすることができる。前記一体構造物の外郭は符号１０’で示している。以下の説明において、前述の実施の形態の構成部品及び構成要素に対応する構成部品及び構成要素には、同じ目的を達成するための構成部品及び構成要素として、同じ符号を付してある。ただし、前述の実施の形態で説明した構成部品及び構成要素と幾何的に異なる場合には、幾何的な相違を識別する符号を追加している。
【００３３】
図１，２，３ａ及び３ｂで説明した前述の実施形態では、発明の特徴である可撓性を有する「反し」状の拘束アーム３４が取付具構成部品１０に一体に成形されているのに対し、図４に示す実施形態では、「反し」の状拘束アームは、外郭１０’の内側にスナップ固定式に嵌着されている別部材５０と一体に形成されている。前記別部材５０は、外郭１０’とは別の成形工程により成作されると共に環状体５２を有しており、該環状体５２からは全部で４本のアーム３４’が下向きに延び、これら４本のアーム３４’が前記図３ａ及び図３ｂで説明したアーム３４と同様の機能を果たすようになっている。
【００３４】
図５は環状体（別部材）５０の拡大詳細図であり、アーム３４’の取付角度方向と、外郭１０’の内側面における円周形のリム４８の裏側での環状体５０の外郭１０’への固定部分を示している。
【００３５】
図１，２，３ａ及び３ｂで説明した構造に対し、変形例として、環状体５０と類似した別部材の拘束環状体を用いることも可能である。同様に、図１及び図２に示した第１の実施の形態に基づいて説明された一体式の拘束アーム３４を、図４及び図５に示す一体物の外郭１０’に一体成形する構造とすることも可能である。ただし、図４に示すような一体形の外郭１０’を有する実施の形態に対し、一体形のアーム３４を採用する場合には、成形工程で問題が生じる。すなわち、非常に高度で複雑な噴射成形管を用いて成形する必要性があることが理解できるであろう。
【００３６】
したがって、図４に示された環状体５０のような別部材の拘束環状体を用いることの方が、取付具の製造を容易にする観点から有利であろう。
【００３７】
さらに、一体成形の拘束アームでなくて、別部材の拘束アームを用いると、環状体の製作については、拘束アームの可撓性に関する必要条件を満たした軟らかくて、より可撓性を有する材料から作ることができ、一方、取付具の外周の外郭１０’の製作については、非常に硬い固形材料のような材料から作ることができる。取付具及び拘束環状体５０のような構成部材に用いる適切な材料としては、ポリエチレン（ＰＥ）、ポリプロピレン（ＰＰ）、ポリオキシメチレン（ＰＯＭ）及びアクニロリトリル  ブタジエン  スチレン（ＡＢＳ）等の樹脂材料がある。図４及び図５に示す環状体５０のような別部材の拘束部材を備えている場合には、円周形状の外郭１０’は、銅、アルミニウム、又は銅若しくはアルミニウムめっきの樹脂材料から製造することもできる。
【００３８】
本発明について、現時点において好ましい２つの実施の形態を説明したが、本発明に従って各種変形例及び別の実施の形態が考えられ、このことは、当技術分野の通常の知識を有する者にとって明らかなことであり、そのような各種変形例及び別の実施の形態は、別紙特許請求の範囲に記載された本発明の権利範囲に含まれる。
【図面の簡単な説明】
【００３９】
【図１】本発明による取付具の半分を構成する第１の取付具構成部品の好ましい実施の形態であって、同形状の第２の取付具構成部品に組み付けられる第１の取付具構成部品の外周面を表した全体の概略斜視図である。
【図２】取付具構成部品の内部を示す図１と同じ取付具構成部品の全体概略斜視図である。
【図３ａ】図１及び図２に記載された２つの取付具構成部品を組み合わせた取付具の第１の実施の形態であって、ケーブル等を拘束した状態を示す部分切断概略図である。
【図３ｂ】図１及び図２に記載された２つの取付具構成部品を組み合わせた取付具の第１の実施の形態であって、ケーブル等を拘束した状態を示す部分切断概略図である。
【図４】一体成形の外周本体又は外郭と、内部の拘束環状本体から構成される本発明による取付具の第２の実施の形態の部分切断概略図である。
【図５】図４に示された本発明による第２の実施の形態の拘束環状本体を拡大した詳細を示す部分切断概略斜視図である。
【図１】
2007531483.tif 000003
【図２】
2007531483.tif 000004
【図３ａ】
2007531483.tif 000005
【図３ｂ】
2007531483.tif 000006
【図４】
2007531483.tif 000007
【図５】
2007531483.tif 000008
【国際調査報告】
2007531483.tif 000009
2007531483.tif 000010